(57)【要約】【課題】  雨樋に防犯用検知装置を取り付けるにあたり、雨樋と防犯用検知装置がバランス良くしっかり固定され、しかも、雨樋と防犯用検知装置のいずれかに起きた振動が他方に極力伝わらない雨樋構造を提供する。【解決手段】  防犯用検知装置２が保持具４によって雨樋１の底面側に固定されており、雨樋１の底面側と防犯用検知装置２との間に、制振材３が挿入されていることを特徴とする雨樋構造。特に、雨樋１が、底面が半円形の丸型雨樋であり、保持具４が帯状の保持バンドであって、制振材３が雨樋１の底面形状に沿って、上面が制振材３内部側にえぐられている形状を有していて、防犯用検知装置２および制振材３が、保持バンドに付加された磁石機能によって雨樋１に固定されていることを特徴とする雨樋構造。【選択図】  図１
2005180098.tif 000002
【特許請求の範囲】
【請求項１】
防犯用検知装置が保持具によって雨樋の底面側に固定されており、
前記雨樋の底面側と前記防犯用検知装置との間に、制振材が挿入されていることを特徴とする雨樋構造。
【請求項２】
前記雨樋が、底面が半円形である丸型雨樋であり、
前記保持具が帯状の保持バンドであって、
前記制振材が前記雨樋の底面形状に沿って、上面が前記制振材内部側にえぐられている形状を有していて、
前記防犯用検知装置および前記制振材が、前記保持バンドに付加された磁石機能によって前記雨樋に固定されていることを特徴とする請求項１記載の雨樋構造。
【請求項３】
前記雨樋が、底面が平面である角型雨樋であり、
前記保持具がコの字型の形状を有していて、前記雨樋の底面と両側面に覆い被さって配置されており、前記保持具の後壁側の面の端部側が鉤型になっていて、前記雨樋の端部に引掛かって取り付けられており、
前記保持具の後壁側の面に、地面に対して略垂直方向の振動を軽減する制振材が組み込まれていて、
前記保持具の前壁側および後壁側の面と前記雨樋との間に、前記制振材が挿入されていることを特徴とする請求項１記載の雨樋構造。
【発明の詳細な説明】
【技術分野】
【０００１】
本発明は防犯用検知装置が取り付けられた雨樋構造に関するものである。
【背景技術】
【０００２】
従来、家屋に侵入しようとする侵入者を検知するための防犯システムとして、家屋の窓の上方に位置する軒天井部分に超音波センサ等の検知装置を設置して、窓に近づく侵入者を検知する方法が取られていた。
【０００３】
軒天井部分に防犯用検知装置を取り付けるためには、専用の取り付け具が必要となってくる。さらに、該取り付け具を軒天井部分に取り付けるには、家屋の壁面をわざわざ加工して取り付け具を設置する必要があるため手間がかかる。
【０００４】
そこで、このような問題を解決するために、雨樋の後壁側に、取り付け具を介して防犯用検知装置を取り付ける方法が知られている（例えば、特許文献１参照。）。
【特許文献１】特開２０００−２１５３５６号公報
【発明の開示】
【発明が解決しようとする課題】
【０００５】
従来の雨樋に防犯用検知装置が取付けられた防犯用検知システムには以下のような問題点がある。
【０００６】
雨樋に取り付けられた防犯用検知装置は、保持具（取り付け具）によって取り付けられている。保持具とは、例えば、帯状の保持バンドであり、雨樋に防犯用検知装置を巻き付けて固定しているものである。
【０００７】
雨樋は耐候性、耐振動性等を考慮して製造されている。しかし、自然の力の風や雨によって起きる雨樋の振動は避けられない。従来の防犯用検知装置取り付け方法は、雨樋と防犯用検知装置とが直接保持バンド等で取り付けられているだけであるので、雨樋の振動が直に防犯用検知装置に伝わる。防犯用検知装置は精密なセンサが内蔵されているため、振動が与えられると内部のセンサが異常を起こしてしまう可能性がある。
【０００８】
また、泥棒が侵入した時に感知したり、猫等の動物による誤作動によって防犯用検知装置が作動すると、防犯用検知装置本体が振動を起こす。すると、前述とは逆に、防犯用検知装置の振動が雨樋に伝わり、雨樋が振動して、雨樋にクラックが入ったり、最悪の場合破損してしまう恐れがある。
【０００９】
また、特許文献１の防犯用検知システムは、雨樋の後壁側に防犯用検知装置を設けているが、防犯用検知装置自体が設置されていることを視認しにくく、侵入者の侵入を防止しにくい恐れがある。さらに雨樋の後壁側、つまり側面側に防犯用検知装置が設けられているため、バランスが悪く、雨樋の後面側がたわんでしまって、破損してしまうことが考えられる。
【００１０】
本発明は上記事項に鑑みてなしたもので、その目的は雨樋に防犯用検知装置を取り付けるにあたり、雨樋と防犯用検知装置がバランス良くしっかり固定され、しかも、雨樋と防犯用検知装置のいずれかに起きた振動が他方に極力伝わらない雨樋構造を提供することにある。
【課題を解決するための手段】
【００１１】
請求項１に係る発明の雨樋構造は、防犯用検知装置が保持具によって雨樋の底面側に固定されており、前記雨樋の底面側と前記防犯用検知装置との間に、制振材が挿入されていることを特徴とする。
【００１２】
請求項２に係る発明の雨樋構造は、請求項１記載の雨樋構造において、前記雨樋が、底面が半円形である丸型雨樋であり、前記保持具が帯状の保持バンドであって、前記制振材が前記雨樋の底面形状に沿って、上面が前記制振材内部側にえぐられている形状を有していて、前記防犯用検知装置および前記制振材が、前記保持バンドに付加された磁石機能によって前記雨樋に固定されていることを特徴とする。
【００１３】
請求項３に係る発明の雨樋構造は、請求項１記載の雨樋構造において、前記雨樋が、底面が平面である角型雨樋であり、前記保持具がコの字型の形状を有していて、前記雨樋の底面と両側面に覆い被さって配置されており、前記保持具の後壁側の面の端部側が鉤型になっていて、前記雨樋の端部に引掛かって取り付けられており、前記保持具の後壁側の面に、地面に対して略垂直方向の振動を軽減する制振材が組み込まれていて、前記保持具の前壁側および後壁側の面と前記雨樋との間に、前記制振材が挿入されていることを特徴とする。
【発明の効果】
【００１４】
本件の発明の雨樋構造によれば、雨樋と防犯用検知装置との間に制振材を介在させていることにより、外部振動により雨樋が振動した場合又は防犯用検知装置が作動して振動が起きた場合に、雨樋と防犯用検知装置のどちらか一方で起きた振動が他方に伝達することを極力防ぐことができ、雨樋又は防犯用検知装置の破損を防ぐことができる。
【００１５】
また、防犯用検知装置を雨樋の下面に配置することで、侵入者が防犯用検知装置を容易に視認することができ、犯罪抑止効果が増大し、さらには、雨樋の側面に取付けた場合よりも、バランス良く取り付けることができて、雨樋にかかる負担を軽減できる。
【発明を実施するための最良の形態】
【００１６】
以下、本発明の実施形態を図１〜図５に基づいて説明する。
【００１７】
図５に例示したように、防犯用検知装置は一般に、後壁の壁面８に設置されている窓９付近の雨樋に取り付けられる。雨樋の形状は様々であり、保持具４（６）は、雨樋の形状に合わせて様々な形状をとる。雨樋の形状は断面形状で分類すると、大きく分けて丸型雨樋と角型雨樋の２種類に分けることができる。そこで、丸型雨樋における雨樋構造を実施形態１で、角型雨樋における雨樋構造を実施形態２で説明する。
【００１８】
（実施形態１）
図１および図２に例示したように、軒先に設置されている雨樋（丸型雨樋）１に防犯用検知装置２を取り付けた雨樋構造に、制振材３を設置する。制振材３は雨樋１の底面と防犯用検知装置２との間に挟み込むように設置されており、保持具４で固定されて取り付けられている。
【００１９】
制振材３としては、適度に軟らかい材料（例えば、ゴム等の樹脂）を用いるのがよい。また、制振材３の形状としては雨樋１の底面形状に沿って、上面が制振材３内部側にえぐられている形状を有していて、雨樋１の半円形の底面形状に隙間なく、ぴたりと接触されるのがよい。制振材３の厚さとしては、防犯用検知装置２を取り付けた場合において、防犯用検知装置２を雨樋１に強く押しつけた時に、雨樋１に当たる抵抗感が略なくなる程度であればよい。制振材３と雨樋１および防犯用検知装置２とは、公知の貼り付け手段（例えば、接着剤等）を利用して貼り付けておくとなおよい。
【００２０】
保持具４は、帯状の板材で、厚み０．５ｍｍ〜１．５ｍｍ、幅１０ｍｍ〜２０ｍｍであることが好ましい。しかし、雨樋１の形状や防犯用検知装置２の重量等によって、前記寸法を変えても問題はない。
【００２１】
保持具４を構成する材料は、容易に折り曲げることができる材料（例えば、アルミ材等）で作成されていることが好ましい。この保持具４の雨樋１側にあたる表面には、容易に折り曲げることができる帯状の棒磁石４ａが公知の貼り付け手段を利用して、貼りつけられる。金属材料で構成されている雨樋１および金属が混在している材料で構成された雨樋１等においては、雨樋１に接している保持具４に貼りつけられた棒磁石４ａが、磁力によって雨樋１に引き付けられ、雨樋１と防犯用検知装置２との間に介在された制振材３の接合効果をさらに助長して、よりぐらつきがなく雨樋１と防犯用検知装置２とが固定される。棒磁石４ａは帯状のものでなくても、丸磁石等の磁石であってもよい。いずれにせよ、保持具４に磁石機能を付加させる方法としては、雨樋１と制振材３および保持具４とが磁石機能により、ぴたりと固定されるものであればその方法の如何は問わない。
【００２２】
次に、図１に例示したように、保持具４は雨樋１の半円形断面の円周に沿うようにして、さらに防犯用検知装置２を取り囲むように設置するのが好ましい。この時、保持具４は防犯用検知装置２の長手方向の両端付近の二箇所を通るように設置する。保持具４の両先端は雨樋１の半円形断面における端部に引掛けて固定できるように、鉤型の形状を有していることが好ましい。しかし、保持具４と雨樋１との固定方法は、上記の手段に限らず、公知の止め付け手段（例えば、ビス等）等で固定して止め付けてもよい。いずれにせよ、保持具４と防犯用検知装置２および保持具４と雨樋１との取り付け方法は雨樋１、防犯用検知装置２、保持具４等の形状によって、施工し易く固定に適した方法を選択すればよい。
【００２３】
以上のような方法によって、雨樋１に防犯用検知装置２が取付けられた雨樋構造が完成する。
【００２４】
（実施形態２）
図３および図４に例示したように、軒先に設置されている雨樋（角型雨樋）５に防犯用検知装置２を取り付けた雨樋構造において、雨樋５の底面とコの字形状を有した保持具６との間に制振材３が介在されている。
【００２５】
制振材３の形状は雨樋５の底面の形状にほぼ合わせた形が好ましい。制振材３の厚さは、防犯用検知装置２を取り付けた場合において、防犯用検知装置２を雨樋５に強く押しつけた時に、雨樋５に当たる抵抗感が略なくなる程度の厚さを有していればよい。制振材３の上面側と雨樋５の底面、さらに、制振材３の下面側と保持具６とは、公知の貼り付け手段（例えば、接着剤等）を利用して貼り付けるとよい。
【００２６】
保持具６は、図４に例示したように、コの字型の雨樋５の外壁廻りを覆い被せることができるコの字型の形状を有している。保持具６の前壁側の面は後壁側の面に比べて、上下方向の長さが短くなっている。これは、図３に例示したように、雨樋５の前壁側の下側は地面に対して略垂直な面であり、前壁の中央部から上部にかけてカーブを描いている雨樋５にも適用できるようにするためである。さらに、雨樋５の前壁側は家屋の外部から見えやすい場所であるので、保持具６のような治具をなるべく見せないようにして、外観を美しく保つという効果も兼ね備えている。
【００２７】
保持具６としては、雨樋５にぶら下がって取り付けられるため、雨樋５に負担がかからないように、軽量な材料で形成するのが好ましい。また、コの字型の形状が簡単には崩れないように、比較的硬い材料で形成するのが好ましい。
【００２８】
保持具６の板厚は０．５ｍｍ〜１．５ｍｍ程であるのがよい。コの字型の雨樋５は、板材を折り曲げてコの字型にしてもよいし、板材の両端に、板材の面と略垂直に二枚の板材を貼り付けて作成してもよい。
【００２９】
板材の幅は、特には指定しないが、保持具６を防犯用検知装置２の長手方向の両端付近の二箇所を通るように設置するため、防犯用検知装置２を十分支えられる強度以上の幅でなけらばならない。
【００３０】
また、保持具６の後壁の壁面側にあたる面の先端は、雨樋５の端部に引掛けて固定できるように、鉤型の形状を有している。
【００３１】
さらに、保持具６の後壁側にあたる面の一部には、地面と略垂直方向に伸縮できる制振材７が組み込まれている。保持具６の前壁側にあたる内面には、地面と略水平方向に伸縮できる制振材７が設けられている。制振材７の末端には制振材３が設けられていて、角型雨樋の横方向の振動を吸収する。この制振材７としては、比較的反発力、反発距離が共に大きい、スプリング（例えば、バネ等）を用いるのがよい。また、雨樋５の後壁側にあたる面と、保持具６の内面との間にも、地面と略水平方向の振動を吸収するための制振材３が設けられている。
【００３２】
防犯用検知装置２は保持具６の地面側に当たる面に、公知の取り付け手段（例えば、ビス）等を利用して取り付けられる。次いで、防犯用検知装置２と保持具６とが一体化したものが雨樋５に取付けられるが、取り付け方法としては、保持具６に設けられている各制振材７を伸縮させて、雨樋５の断面形状に合わせて調節して、保持具６のコの字の内側に雨樋５が嵌るようにして取付けるのがよい。
【００３３】
以上のような方法によって、雨樋５に防犯用検知装置２が取付けられた雨樋構造が完成する。
【図面の簡単な説明】
【００３４】
【図１】本発明の雨樋構造の断面図である。
【図２】同上の本発明の雨樋構造の側面図である。
【図３】本発明の雨樋構造の他の実施形態の断面図である。
【図４】同上の本発明の雨樋構造の側面図である。
【図５】本発明の雨樋構造の外観図である。
【符号の説明】
【００３５】
１．雨樋（丸型）
２．防犯用検知装置
３．制振材（ゴム状パッキン）
４．保持具（帯型）
４ａ．棒磁石
５．雨樋（角型）
６．保持具（コの字型）
７．制振材（スプリング）
８．後壁の壁面
９．窓
【図１】
2005180098.tif 000003
【図２】
2005180098.tif 000004
【図３】
2005180098.tif 000005
【図４】
2005180098.tif 000006
【図５】
2005180098.tif 000007